(57)【要約】【課題】施錠可能な端末機ホルダ用カバー。【解決手段】受け皿７の左側の下扉６に設けられた端末機ホルダ８に、端末機ホルダ８にセットされた携帯電話機２０を覆う閉じ位置と開放する開放位置との間で回動自在であるとともに閉じ位置に閉じている場合に施錠可能な端末機カバー２３を設ける。端末機カバー２３は電子ロック２４を用いて下扉６に施錠できる。端末機カバー２３の前面板２３ｂには拡大レンズ２３ｃが設けられていて、端末機ホルダ８にセットされた携帯電話機２０の表示画面２０ｂを拡大して端末機カバー２３の外から見ることができる。【選択図】図２
2008000415.tif 000002
【特許請求の範囲】
【請求項１】
携帯端末機をセットする端末機ホルダが設けられた遊技機において、
前記端末機ホルダにセットされた携帯端末機を覆う閉じ位置と開放する開放位置との間で開閉自在な端末機カバーと、
前記端末機カバーを閉じ位置に保持するロック装置と、を設け、
前記端末機カバーが、前記端末機ホルダにセットされた携帯端末機の表示画面を拡大して観察可能なレンズを一体に有することを特徴とする遊技機。
【発明の詳細な説明】
【技術分野】
【０００１】
本発明は、携帯端末機をセット可能な端末機ホルダを備えた遊技機に関するものである。
【背景技術】
【０００２】
現在、パチンコ機やスロットマシン、アレンジボール機、雀球機など、遊技球やメダル等の遊技媒体を使用して遊技を行う遊技機が数多く知られている。これらの遊技機では、遊技球を所定の入賞口に入賞させる、あるいはメダルの投入に応じて回転するリールの図柄を入賞ライン上に並べるなど、所定の入賞条件の達成に応じて賞与として遊技媒体が払い出される。払い出された遊技媒体は景品交換所で物品と交換することができ、遊技者は遊技媒体の獲得を目的とすることでより一層遊技を楽しむことができる。
【０００３】
近年、多くの遊技者が携帯電話機や小型の携帯パソコンなどの携帯端末機を所持したままで遊技を行うことが多い。しかし、例えば、遊技中に携帯電話機が鳴ると、遊技者は遊技を中断して携帯電話機をポケットやハンドバッグなどから取り出して操作する必要があるため、遊技の興趣を大きく損なってしまうこととなる。このために最近では携帯電話機をセットできる電話機ホルダ（端末機ホルダ）を備えた遊技機が見受けられる。電話機ホルダは遊技者が容易に携帯電話機を取り出したりセットしたりできる位置に設けられている。
【０００４】
そして、遊技者へのサービスの向上を図ることを目的として、電話機ホルダには、単に携帯電話機をセットするだけでなく、携帯電話機の電池を充電する、もしくは遊技機とデータ通信できる機能を有するもの（特許文献１）や、電話機ホルダに携帯電話機がセットされていても遊技機で遊技が行われていないと携帯電話機への充電を行わないもの（特許文献２）が提案されている。また、遊技機から離席すると携帯電話機の取り忘れを報知する遊技機（特許文献３）の提案もなされている。
【特許文献１】特開平１０−１７９９２１号公報
【特許文献２】特開２００２−２９２１０４号公報
【特許文献３】特開２００３−２７５４５５号公報
【発明の開示】
【発明が解決しようとする課題】
【０００５】
しかしながら、遊技者が時には遊技を中断して遊技機の前から離席することがあり、この場合は、盗難防止のために携帯電話機をいちいち電話機ホルダから取り外して離席せねばならず、特に短時間の離席の場合は大変面倒なこととなる。上記の特許文献には、この改善策については提案されていない。
【０００６】
本発明は上記に鑑みてなされたもので、端末機ホルダに携帯端末機をセットしたまま離席可能な遊技機を提案することを目的とする。
【課題を解決するための手段】
【０００７】
上記目的を達成するために、本発明においては、携帯端末機をセットする端末機ホルダが設けられた遊技機において、前記端末機ホルダにセットされた携帯端末機を覆う閉じ位置と開放する開放位置との間で開閉自在な端末機カバーと、前記端末機カバーを閉じ位置に保持するロック装置とを設け、前記端末機カバーが、前記端末機ホルダにセットされた携帯端末機の表示画面を拡大して観察可能なレンズを一体に有することを特徴とする。
【発明の効果】
【０００８】
本発明の遊技機によれば、遊技者が携帯端末機を端末機ホルダにセットして端末機カバーを閉じ、端末機カバーを開閉不能に閉じるように施錠することによって、遊技機の前から遊技者が短時間離席するときにいちいち携帯端末機を端末機ホルダから取りはずして携帯させる必要がなく、しかも盗難にあうことを確実に防止することもできる。また、携帯端末機の表示画面をレンズで拡大して観察可能なので、表示画面の内容を、遊技球を打ち出す際の遊技機自体の揺れに基づく端末機カバーの振動等を抑制しつつ容易に確認できるとともに端末機ホルダに携帯端末機がセットされていることが端末機カバーの外から明瞭に視認でき、遊技機を使用中であることが他の遊技者からも容易に判断できるので、安心して離席することができる。
【発明を実施するための最良の形態】
【０００９】
図１に本発明を用いた遊技機の一例としてのパチンコ機２の外観を示す。パチンコ機２の本体基部となる本体枠３の内部には遊技盤４が配設されており、遊技盤４の前面側には前面扉５が本体枠３に対して開閉自在に設けられている。前面扉５の下方には、下扉６が本体枠３に対して開閉自在に設けられており、下扉６の前面にはパチンコ球を貯留する受け皿７が設けられている。受け皿７の左横には本発明の端末機ホルダ８、そして、受け皿７の右下方であり、下扉６の右側部には、パチンコ球の打ち出し強さを調節する操作ハンドル９が設けられている。また、遊技盤４の前面に設けられた遊技領域４ａには、始動入賞口１０、通常入賞口１１、アタッカ１２、アウト口１３が設けられている。なお、遊技領域４ａに設けられている釘や風車などの障害物については図示を省略する。
【００１０】
本実施例では、携帯端末機として携帯電話機を例として説明する。端末機ホルダ８には、携帯電話機２０がセットされたときに携帯電話機２０の電池を充電可能であるとともにパチンコ機２とのデータ通信が可能なように、携帯電話機２０の外部接続端子２０ａと接続可能な接続端子２１及び通信ケーブル２２が設けられている（図３）。そして、端末機ホルダ８にはプラスティックなどの樹脂素材で成形された本発明の端末機カバー２３が設けられている（図２、図３）。
【００１１】
図２は、端末機ホルダ８の近辺を、理解を容易にするために概念的な斜視図で示している。図２に示すように、端末機ホルダ８は受け皿７の左横の下扉６にネジなどの締結部材（図示省略）で取り付けられている。そして、端末機ホルダ８には、セットされている携帯電話機２０を覆うように端末機カバー２３が設けられている。端末機カバー２３はヒンジ２３ａによって端末機ホルダ８と係合されていて、矢印Ａで示す方向へ回動自在に取り付けられている。なお、端末機カバー２３は、外部から携帯電話機２０が端末機ホルダ８にセットされていることが容易にわかるように透明なプラスティックなどの樹脂で成形してもよいが、後述の拡大レンズ２３ｃの部分を除いて曇りガラス状のボカシ加工を施すもしくは不透明にして、外光の影響を受けずに携帯電話機２０の表示画面２０ｂがよく見えるようにしてもよい。そして、携帯電話機２０の表示画面２０ｂに遊技情報等を表示させる場合に、端末機カバー２３内又はその近傍にランプ等（図示省略）を設けて、このランプを発光させて、積極的に遊技者に対して報知させるようにしてもよい。
【００１２】
端末機カバー２３には電子ロック（ロック装置）２４が設けられていて、端末機カバー２３が携帯電話機２０を覆う位置に閉じられているときは、電子ロック２４の前面のタッチセンサ式のキーボード２４ａを用いて４桁の任意の数値を入力することにより下扉６側のロック２４ｂ(図３)と施錠できるようになっている。なお、本発明のロック装置は、単なる凹凸嵌合等の係止保持構造によるもののほか、第三者に容易に解錠させない施錠機能を有するもの、例えばゴルフ場などに設置されている貴重品収納ロッカーや更衣室の更衣ロッカーなどに設けられている電子ロックと同じ構造のもの等を含むものとする。また、端末機カバー２３の前面板２３ｂの一部が拡大レンズ２３ｃとなっていて、端末機カバー２３が閉じているときに、中にセットされている携帯電話機２０の表示画面２０ｂを端末機カバー２３の外部から拡大レンズ２３ｃを透して拡大して見ることができる。拡大レンズ２３ｃは表示画面２０ｂが拡大されて観察できるレンズであれば凸レンズでも、フレネルレンズでもよい。
【００１３】
図３は、端末機ホルダ８を、パチンコ機２の左側の側面から見た断面図を示している。図３（Ａ）は端末機カバー２３が閉じている状態、図３（Ｂ）は端末機カバー２３が開いている状態を示している。携帯電話機２０が端末機ホルダ８にセットされると、携帯電話機２０の外部接続端子２０ａが端末機ホルダ８に設けられた接続端子２１と電気的に接続される。接続端子２１は通信ケーブル２２によってパチンコ機２の制御部３０における電源供給部４０及びデータ通信部３４と接続されており（図４）、携帯電話機２０の電池を充電できるようになっているとともにパチンコ機２の遊技にかかわるデータが表示画面２０ｂに表示される。なお、パチンコ機２の遊技に係わるデータが携帯電話機２０の表示画面２０ｂに表示されるには、対応するソフトウエアを携帯電話機２０にインストールしておく必要があるが、このソフトウエアについては説明を省略する。
【００１４】
図４は、本発明のパチンコ機２の電気的な制御部３０を示している。制御部３０にはＣＰＵ３１、ＲＯＭ３２、ＲＡＭ３２が設けられており、パチンコ機２の動作は全てこの制御部３０で管制されている。制御部３０には、データ通信部３４、賞球払出装置３５、電源供給部４０などが設けられていて、データ通信部３４はパチンコ機２を監視するホールコンピュータ（図示省略）と通信をするとともに、端末機ホルダ８へ遊技者にとって有意義な遊技に係わるデータのみを送信する。また、電源供給部４０は、パチンコ機２における全ての装置類の駆動電源を供給するとともに端末機ホルダ８への電源供給も行う。また、制御部３０は、端末機ホルダ８に設けられた端末機カバー２３の電子ロック２４の施錠及び解錠を管制する。
【００１５】
上記のように構成されたパチンコ機２の作用を説明する。遊技者は遊技を行いたいパチンコ機２の前に座り、携帯している携帯電話機２０を端末機ホルダ８にセットする。携帯電話機２０を端末機ホルダ８にセットすると電源供給部４０から電源が供給されて携帯電話機２０の電池の充電が開始される。携帯電話機２０において予めパチンコ機２からのデータが収集できるようにソフトを設定しておくと、遊技の開始に伴って遊技者にとって有意義な遊技に関するデータが携帯電話機２０の表示画面２０ｂに表示される。なお、このパチンコ機２からのデータについては勝ち負けのデータや遊技の興趣を高める音楽などがあるが、ここでは詳細説明を省略する。そして、外部から電話が掛かってきたときは、その旨が表示画面２０ｂに表示される。
【００１６】
携帯電話機２０を端末機ホルダ８にセットしたら、遊技者はカバー２３を下扉６に向けて閉じる。端末機カバー２３の前面に設けられた電子ロック２４のキーボード２４ａでパスワードとしての任意の４桁の数値を入力し、最後に「Ｍ」という文字を入力する。ＣＰＵ３１がこの信号を受信し、電子ロック２４が下扉６側のロック２４ｂとの間で施錠される。パスワードを入力しているときに修正したり変更したりするときは「Ｃ」という文字を入力すると先に入力された数値が全てクリアーされる。改めて４桁の数値を入力する操作をやり直す。
【００１７】
遊技者が、遊技を中断してパチンコ機２から離席したい場合、端末機カバー２３の施錠を解かずに離席すると携帯電話機２０が端末機ホルダ８にセットされたまま、かつ、端末機カバー２３で覆われた状態で離席できるので、携帯電話機２０が盗難にあうことがない。また、携帯電話機２０がセットされたままであることから、パチンコ機２が使用中であることがわかり、パチンコ機２を確保しておくことができる。
【００１８】
一方、携帯電話機２０を端末機ホルダ８にセットして端末機カバー２３を閉じたままの状態にしておくと、端末機カバー２３の前面板２３ｂに成形された拡大レンズ２３ｃによって携帯電話機２０の表示画面２０ｂが拡大されてカバー２３の外から見ることができる。例えば電話が掛かってきたときは、端末機カバー２３を開けることなく拡大レンズ２３ｃを透して表示画面２０の情報を読み、電話に出たいときは最初に入力したパスワードをキーボード２４ａで入力する。ＣＰＵ３１は、その信号を受信すると電子ロック２４を解錠する。遊技者は端末機カバー２３を開き、携帯電話機２０を取り出して通話をする。用件が済んだら、携帯電話機２０を再び端末機ホルダ８にセットし、端末機カバー２３を閉じる。ＣＰＵ３１は最初に入力されたパスワードを記憶していて、端末機カバー２３が閉じられるだけで自動的に電子ロック２４を施錠する。
【００１９】
遊技者が遊技を終了してパチンコ機２から離席する場合は、キーボード２４ａにおいて最初に入力したパスワードとしての４桁の数値を打ち込む。ＣＰＵ３１はこのパスワードを受信すると、電子ロック２４を解錠する。遊技者は端末機カバー２３を開放位置へ回動させて携帯電話機２０を取り出す。新たな遊技者が同じパチンコ機２で遊技をするときは、同様に自分の好みの４桁のパスワードをキーボード２４ａを用いて入力し、最後に「Ｍ」を押圧することで新たなパスワードによる電子ロック２４が施錠される。
【００２０】
遊技者が遊技中に携帯電話機２０を端末機ホルダ８にセットすることなく端末機カバー２３を閉じてしまったり、遊技を終了して帰路につくときに誤って端末機カバー２３を閉じてしまった場合は、遊技場の管理者に連絡することによって、遊技場の管理者がホールコンピュータにおいて当該パチンコ機２のパスワードのみを無効化することができる。そして、遊技場が閉店後は、遊技場の管理者がホールコンピュータによって全パチンコ機２の端末機カバー２３の電子ロック２４におけるパスワードを無効化するように操作する。この操作によって、設置されている全てのパチンコ機２の電子ロック２４は解錠される。なお、開閉不能に施錠されたロック状態において、パチンコ球の貸出に用いるプリペイドカードがパチンコ機２又は台間サンド（遊技媒体貸出機）（図示省略）から取り出されたとき、もしくは受け皿７内にパチンコ球が一定時間以上貯留されていないとき、操作ハンドル９等の遊技操作が一定時間以上なされないと判断されたとき等を契機に、自動的にロックが解錠されるようにしてもよい。
【００２１】
本発明のパチンコ機を上記構成にすることにより、遊技機の前から遊技者が離席するときに、いちいち携帯電話機を端末機ホルダから取りはずす必要がなく、しかも盗難にあうこともない。同時に、携帯電話機の表示画面を拡大レンズで拡大して観察可能なので、表示画面の内容が容易に確認できるとともに端末機ホルダに携帯電話機がセットされていることが端末機カバーの外から視認でき、遊技機を使用中であることが他の遊技者からも容易に判断できるので、安心して離席することができる。
【００２２】
なお、上記実施例では、携帯端末機として携帯電話機を例に説明したが、他の携帯端末機であってもよい。例えば、小型の携帯パソコンや携帯電子メール機などのＰＤＡやＡＭ／ＦＭの聴ける携帯ラジオ、音楽鑑賞用のＭＤ機などであってもよい。そして、端末機カバーにイヤホーンあるいはイヤホーンマイクのコード用の切込みを設けておけば、携帯端末機にイヤホーンを接続したまま端末機カバーを閉じることができ、携帯端末機の電池を充電しつつ掛かってきた電話にそのままイヤホーンで対応できるし、自分の音楽やラジオ番組を楽しみながら遊技を行うことも可能である。
【００２３】
また、端末機ホルダの位置を受け皿の左横の下扉に設けたが、これをパチンコ機の本体枠の側面に設けてもよく、遊技者が容易にセットしたり取り外したりできる位置であれば、限定されるものではない。
【００２４】
また、端末機カバーを下扉に施錠する方法として、パスワードを入力する方式の電子ロックを説明したが、より安全性を高めるためにこれを遊技者個人特有の指紋などを検出する生態認証方式の電子キーとしてもよい。つまり、上記のごとく本発明のロック装置は、単なる凹凸嵌合等の係止保持構造によるもののほか、第三者に容易に解錠させない施錠機能を有するものを含むものとする。
【００２５】
更に、電子ロックを端末機カバーと下扉とを固定する位置に設けたが、これを端末機ホルダと端末機カバーとを固定する位置に設けてもよい。端末機ホルダがパチンコ機に固定されているので、端末機カバーが電話機ホルダと施錠して固定できれば、本発明の目的は達成できる。
【００２６】
そして、本発明をパチンコ機に限らず、遊技場に設置されている他の種類の遊技機にも適応可能である。
【図面の簡単な説明】
【００２７】
【図１】本発明を適応したパチンコ機の外観を示す斜視図である。
【図２】本発明の端末機カバーが取り付けられた端末機ホルダ近辺を示す斜視図である。
【図３】本発明の端末機ホルダの部分の断面図である。
【図４】本発明のパチンコ機の電気的な制御部のブロック図である。
【符号の説明】
【００２８】
２        パチンコ機（遊技機）
６        下扉
７        受け皿
８        端末機ホルダ
２０      携帯電話機
２０ａ    携帯電話機の外部接続端子
２０ｂ    携帯電話機の表示画面
２１      端末機ホルダの接続端子
２２      通信ケーブル
２３      ケース
２３ａ    ヒンジ
２３ｂ    端末機カバー前面板
２３ｃ    拡大レンズ
２４      電子ロック
２４ａ    電子ロックのキーボード
３０      制御部
３４      データ通信部
４０      電源供給部
【図１】
2008000415.tif 000003
【図２】
2008000415.tif 000004
【図３】
2008000415.tif 000005
【図４】
2008000415.tif 000006